(57)【要約】【課題】パターヘッドの傾きを直読的に認識できるようにして練習者自身のパッティングフォームを判断することができ、ゴルフボールの打撃に集中できるようするとともに、好打時のパッティングショットの状態を的確に把握できるようにしたパッティングショット練習具を提供する。【解決手段】パターゴルフシャフトの先端にゴルフボールの打撃ヘッドを固定し、該打撃ヘッドの側部に、打撃ヘッドの前端から前方へ突出するガイド片を対向させて設けるとともに、後部に前記シャフトの垂直水準機能を備えるようにする。【選択図】図１
2013059494.tif 000002
【特許請求の範囲】
【請求項１】
パターゴルフシャフトの先端にゴルフボールの打撃ヘッドを固定し、該打撃ヘッドの側部にガイド片を対向させて設けるとともに、後部に前記シャフトの垂直水準機能を備えたことを特徴とするパッティングショット練習具。
【請求項２】
前記打撃ヘッドが中空コアで構成され、該中空コアの前面開口部に打撃プレートが固定されていることを特徴といる請求項１記載のパッティングショット練習具。
【請求項３】
前記中空コアの内部に差し込まれたシャフトの先端に支持部材を固定し、該支持部材に前記打撃プレートの裏面が接触するようにしたことを特徴とする請求項２記載のパッティングショット練習具。
【請求項４】
前記打撃ヘッドの底部から後方に向けてゲージ板を延設し、該ゲージ板の中央部にゲージ片を立設して垂直水準機能が得られるようにしたことを特徴とする請求項１記載のパッティングショット練習具。
【請求項５】
前記ゲージ片の側面に異なる着色が施されていることを特徴とする請求項４記載のパッティングショット練習具。
【請求項６】
前記打撃ヘッドの底面から後方に向けてゲージ板を延設し、該ゲージ板表面の中央部に着色マーカーを施し、該着色マーカーの直上の空間にゲージ片を設けて垂直水準機能が得られるようにしたことを特徴とする請求項１記載のパッティングショット練習具。
【請求項７】
前記打撃ヘッドから後方に向けて筐体部を延設し、該筐体部の底面の中央部に着色マーカーを施す一方、上面に前記着色マーカーの透視窓を形成して垂直水準機能が得られるようにしたことを特徴とする請求項１記載のパッティングショット練習具。
【請求項８】
前記筐体の側面に採光窓が形成されていることを特徴とする請求項７記載のパッティングショット練習具。
【発明の詳細な説明】
【技術分野】
【０００１】
本発明は、パターゴルフクラブによりゴルフボールをパッティングするにあたり、ゴルファーが自身に適した打撃姿勢を容易に認知できるようにしてパッティングフォームの改善が可能となるようにしたパッティングショット練習具に関する。
【背景技術】
【０００２】
ゴルフ競技においてパッティングはスコアを向上するために重要なショットであるが、ホールまでの距離や傾斜、芝の状況など配慮しなければならない要素が多く、どのような状況においても安定したパッティングショットを常に維持することは困難なものである。
【０００３】
上記のような配慮すべき要素は、ゴルファーに対する外的要因となるが、パターの打撃操作の安定性を向上する内的要因は、練習の積み重ねによるゴルファー自身が獲得した技能やこれに基づく心理的安定が大きなものとなる。
【０００４】
このようなパッティングショットに関してゴルファーに要求される能力を向上するため、従来から補助器具を用いたパッティング練習器が多く提案されている（例えば、特許文献１，２）。前記特許文献１「パッティング練習器具」による場合は、長尺状の後方脚部で二等辺三角形を構成し、その二等辺三角形の面に対して直角方向に支持棒を設け、この支持棒に沿ってパタースイングするというものである。
【０００５】
一方、上記特許文献２「パッティング練習器」による場合は、基台に設けられたガイド体の２つのガイド面を角度調整可能としてこのガイド面に沿ってパタースイングするようにしたものである。
【先行技術文献】
【特許文献】
【０００６】
【特許文献１】特開２０１１−８３４２２号公報
【特許文献２】特開平１１−７６４８６号公報
【発明の概要】
【発明が解決しようとする課題】
【０００７】
上記特許文献１，２に開示されたような練習器は、いずれも補助器具を用いるものであることから、練習者はこの補助器具に依存する意識が働き、ゴルフボールを自身の判断で打撃するという主体的な判断が衰退してしまうことになる。即ち、パッティングフォームは本来、練習者自身の身長や体型などから個々人が理想とするものを体得するもので、意識がショットに集中できるようにすることが重要となる。
【０００８】
本発明は、かかる従来の課題を解決するためになされたもので、パターヘッドの傾きから即座に自身のパッティングフォームの状態を判断できるようにしてゴルフボールの打撃に集中できるようにするとともに、好打時のパタースイングの状態を的確に把握できるようにしたパッティングショット練習具を提供するものである。
【課題を解決するための手段】
【０００９】
そこで本発明は、以下に述べる各手段により上記課題を解決するようにした。即ち、請求項１記載の発明では、パターゴルフシャフトの先端にゴルフボールの打撃ヘッドを固定し、該打撃ヘッドの側部にガイド片を対向させて設けるとともに、後部に前記シャフトの垂直水準機能を備えたパッティングショット練習具となるようにする。
【００１０】
請求項２記載の発明では、上記請求項１記載のパッティングショット練習具において、打撃ヘッドが中空コアで構成され、該中空コアの前面開口部に打撃プレートが固定されているようにする。
【００１１】
請求項３記載の発明では、上記請求項２記載のパッティングショット練習具において、中空コアの内部に差し込まれたシャフトの先端に支持部材を固定し、該支持部材に前記打撃プレートの裏面が接触するようする。
【００１２】
請求項４記載の発明では、上記請求項１記載のパッティングショット練習具において、打撃ヘッドの底部から後方に向けてゲージ板を延設し、該ゲージ板の中央部にゲージ片を立設して垂直水準機能が得られるようにする。
【００１３】
請求項５記載の発明では、上記請求項４記載のパッティングショット練習具において、ゲージ片の側面に異なる着色が施されているようにする。
【００１４】
請求項６記載の発明では、上記請求項１記載のパッティングショット練習具において、打撃ヘッドの底面から後方に向けてゲージ板を延設し、該ゲージ板表面の中央部に着色マーカーを施し、該着色マーカーの直上の空間にゲージ片を設けて垂直水準機能が得られるようにする。
【００１５】
請求項７記載の発明では、上記請求項１記載のパッティングショット練習具において、打撃ヘッドから後方に向けて筐体部を延設し、該筐体部の底面の中央部に着色マーカーを施す一方、上面に前記着色マーカーの透視窓を形成して垂直水準機能が得られるようにする。
【００１６】
請求項８記載の発明では、上記請求項７記載のパッティングショット練習具において、筐体の側面に採光窓が形成されているようにする。
【発明の効果】
【００１７】
本発明のパッティングショット練習具によれば、パターヘッドの傾きを直読的に認識することができることから、自身のパッティングフォームを判断することができ、ゴルフボールの打撃に集中することができるとともに、好打時のパタースイングの状態を的確に把握することができる。
【図面の簡単な説明】
【００１８】
【図１】本発明の実施例１によるパッティングショット練習具の斜視図である。
【図２】本発明の実施例１によるパッティングショット練習具の平面図である。
【図３】本発明の実施例２によるパッティングショット練習具の斜視図である。
【図４】本発明の実施例２によるパッティングショット練習具の断面図である。
【図５】本発明の実施例３によるパッティングショット練習具の斜視図である。
【図６】本発明の実施例３によるパッティングショット練習具の平面図である。
【図７】本発明の実施例３によるパッティングショット練習具の断面図である。
【発明を実施するための形態】
【００１９】
（実施例１）
図１および図２は、本発明のパッティングショット練習具１の実施例１を示す図であり、打撃ヘッドＨＤの部分に中空コア１０を採用し、軽量化が可能となるようにしたものである。この場合、中空コア１０は前後方向に開口しているので、打撃プレート１１を前面開口部に、後面開口部には必要に応じて封止プレート１２を溶着などの適宜手段により固着する。
【００２０】
また、中空コア１０内に上部から差し込まれて固定されたパターシャフト３の先端には、支持部材１３が溶着などの適宜手段により固定され、打撃プレート１１を中空コア１０の前面開口部に固着したとき、前記支持部材１３に打撃プレート１１の裏面が接触するようにしている。そして、前記中空コア１０の側部には、打撃プレート１１の前面から突出したガイド片４、５を対向させて設ける。なお、このガイド片４、５の突出部の内面には、進入したゴルフボールＧＢを打撃プレート１１の中央へ導くテーパー面４ａ、５ａが形成されている。
【００２１】
前記打撃ヘッドＨＤの底面からは、後方へ向けてゲージ板６が延設されており、更にこのゲージ板６の中央部にゲージ片７が立設され、垂直水準機能が得られるようにしている。前記ゲージ片７の側面には異なる着色（例えば、赤色と青色など）を施しておくことにより、パターシャフト３の上方からゲージ片７を見下ろしたとき、このゲージ片７の着色の視認偏差から打撃ヘッドＨＤの傾き方向および傾きの程度を認識することができ、練習者が好適なパッティングフォームを定める拠となる。
【００２２】
（実施例２）
図３および図４は、本発明の実施例２のパッティングショット練習具１を示す図であり、実施例１と同様に打撃ヘッドＨＤの部分に中空コア１０を採用し、この場合も中空コア１０は前後方向に開口しているので、打撃プレート１１を前面開口部に、後面開口部には必要に応じて封止プレート１２を溶着などの適宜手段により固着する。
【００２３】
図４に示すように、中空コア１０内に上部から差し込まれて固定されたパターシャフト３の先端３ａの先端には、支持部材１３が溶着などの適宜手段により固定され、打撃プレート１１を中空コア１０の前面開口部に固着したとき、前記支持部材１３に打撃プレート１１の裏面が接触するようにしている。
【００２４】
なお、この実施例２の場合も、実施例１と同様に中空コア１０の側部にガイド片４、５を対向させて設ける。また、実施例２においても実施例１と同様の構成の垂直水準機能を設けることができるが、図３に示す構成による場合は、中空コア１０の底部から延設したゲージ板６の中央部に着色マーカー１４を施し、この着色マーカー１４の直上に一方の端部を封止プレート１２に、他方の端部をゲージ板６に固定した水平リム１５を設ける。これにより、パターシャフト３の上方から水平リム１５を見下ろしたとき、この水平リム１５の側面に現れる着色マーカー１４の視認偏差から打撃ヘッドＨＤの傾き方向および傾きの程度を認識することができる。
【００２５】
（実施例３）
図５−７は、本発明の実施例３のパッティングショット練習具２を示す図であり、同図に示す構成では、方形の筐体２０の先端には実施例１、２と同様に打撃プレート１１を溶着などの手段で、また、シャフト３の先端も実施例１、２と同様に固定される。前記筐体２０のシャフト３が位置する側部には、実施例１、２と同様にガイド片４、５を対向させて設ける。
【００２６】
前記打撃プレート１１から後方の延設された筐体２０の底部内面の中央部には着色マーカー２１を施し、筐体２０の上面の長手方向の中央部には、前記着色マーカー２１を視認できるように透視窓２２を形成し、垂直水準機能が得られるようにする。なお、前記筐体２０の側面に採光窓２３を形成しておくことにより、着色マーカー２１の視認性を向上することができる。
【００２７】
以上詳細に説明したように、本発明のパッティングショット練習具１によれば、垂直水準機能により練習者は好適なパッティングフォームを定めることができ、ゴルフボールＧＢの打撃に際に、ゴルフボールＧＢと打撃ヘッドＨＤとの間に位置ずれがある場合でも、ガイド片４，５によりゴルフボールＧＢは打撃ヘッドＨＤの中央に導かれることから、常に同一のショット感覚が得られることになる。
【００２８】
また、実施例３の構成においては、筐体２０を備えていることから、この筐体２０が共鳴筒となってゴルフボールＧＢの打撃時に共鳴音が得られ、この共鳴音の高低などからパッティングの状態を判断することが可能となる。
【符号の説明】
【００２９】
１・・・・・・パッティングショット練習具
２・・・・・・金属ブロック
３・・・・・・パターシャフト
４・５・・・・ガイド片
６・・・・・・ゲージ板
７・・・・・・ゲージ片
１０・・・・・中空コア
１１・・・・・打撃プレート
１２・・・・・封止プレート
１３・・・・・支持部材
１４・・・・・着色マーカー
１５・・・・・水平リム
ＨＤ・・・・・打撃ヘッド
ＧＢ・・・・・ゴルフボール
【図１】
2013059494.tif 000003
【図２】
2013059494.tif 000004
【図３】
2013059494.tif 000005
【図４】
2013059494.tif 000006
【図５】
2013059494.tif 000007
【図６】
2013059494.tif 000008
【図７】
2013059494.tif 000009